【手続補正書】
【提出日】平成22年5月17日(2010.5.17)
【手続補正１】
【補正対象書類名】特許請求の範囲
【補正対象項目名】全文
【補正方法】変更
【補正の内容】
【特許請求の範囲】
【請求項１】
オーディオサービス提供装置において、
オーディオ信号が入力されるオーディオ入力手段と、
前記入力されたオーディオ信号からオブジェクトオーディオ信号を抽出し、当該抽出されたオブジェクトオーディオ信号を空間上に配置して各オブジェクトの属性を編集し、１つ以上のオーディオシーン情報を生成するオーディオシーン生成手段と、
前記オーディオ信号及びオブジェクト毎のオーディオ信号に関する前記オーディオシーン情報を符号化（多重化）する符号化手段と
を備えることを特徴とする、プリセットオーディオシーンを用いたオブジェクトベースのオーディオサービス提供装置。
【請求項２】
前記符号化（多重化）されたオブジェクトベースのオーディオコンテンツを処理する処理手段をさらに備えることを特徴とする、請求項１に記載のプリセットオーディオシーンを用いたオブジェクトベースのオーディオサービス提供装置。
【請求項３】
前記処理手段が、
前記符号化（多重化）されたオブジェクトベースのオーディオコンテンツを、デジタル放送網を介してオーディオ再生端末に伝送することを特徴とする、請求項２に記載のプリセットオーディオシーンを用いたオブジェクトベースのオーディオサービス提供装置。
【請求項４】
前記オーディオ再生端末が、
前記オーディオ信号を、前記オーディオシーン情報を用いてシーンとして構成し再生することができることを特徴とする、請求項３に記載のプリセットオーディオシーンを用いたオブジェクトベースのオーディオサービス提供装置。
【請求項５】
前記オブジェクトの属性が、
オーディオオブジェクトの位置、方向、大きさ、音場環境のうちの少なくとも１つを含むことを特徴とする、請求項１に記載のプリセットオーディオシーンを用いたオブジェクトベースのオーディオサービス提供装置。
【請求項６】
前記オーディオシーン生成手段が、
入力されたオーディオ信号の音源が混合音源の場合、「Ｃｏｎｖｏｌｕｔｉｖｅ  Ｂｌｉｎｄ  Ｓｏｕｒｃｅ  Ｓｅｐａｒａｔｉｏｎ」技術を用いてオブジェクトオーディオ信号を抽出することを特徴とする、請求項１に記載のプリセットオーディオシーンを用いたオブジェクトベースのオーディオサービス提供装置。
【請求項７】
前記オーディオシーン生成手段が、
ユーザ（編集者）の制御によって設定された「オブジェクト毎のオーディオ信号に関するオーディオシーン情報」に基づき、各オブジェクトの割合を調節して少なくとも１つのオーディオシーン情報を生成することを特徴とする、請求項１に記載のプリセットオーディオシーンを用いたオブジェクトベースのオーディオサービス提供装置。
【請求項８】
オーディオサービス再生装置において、
オブジェクトベースのオーディオコンテンツを復号化（逆多重化）する復号化手段と、
前記復号化（逆多重化）されたオブジェクトベースのオーディオコンテンツにおけるオーディオシーン情報のうち、ユーザ（視聴者）の選択に応じたオーディオシーン情報を構成するオーディオシーン構成手段と、
前記構成されたオーディオシーン情報に基づき、前記復号化されたオブジェクトベースのオーディオコンテンツにおけるオーディオ信号のオブジェクト毎の属性を制御するオーディオ信号合成手段と、
オブジェクト毎の位置、大きさ、方向属性のうちのいずれか１つが制御されたオーディオ信号を再生する再生手段と
を備えることを特徴とする、プリセットオーディオシーンを用いたオブジェクトベースのオーディオサービス再生装置。
【請求項９】
前記オーディオシーン構成手段が、
ユーザ（視聴者）が設定したオブジェクト毎の属性に応じてオーディオシーン情報を構成する機能をさらに備えることを特徴とする、請求項８に記載のプリセットオーディオシーンを用いたオブジェクトベースのオーディオサービス再生装置。
【請求項１０】
前記オブジェクト毎の属性が、
オーディオオブジェクトの位置、方向、大きさ及び音場環境のうちの少なくとも１つを含むことを特徴とする、請求項８に記載のプリセットオーディオシーンを用いたオブジェクトベースのオーディオサービス再生装置。
【請求項１１】
前記オーディオシーン情報に基づき、初期反射音の大きさ及び遅延時間を制御して空間の残響時間を変更することにより、オーディオ空間の特性を制御することができることを特徴とする、請求項１０に記載のプリセットオーディオシーンを用いたオブジェクトベースのオーディオサービス再生装置。
【請求項１２】
オーディオサービス提供方法において、
オーディオ信号が入力されるステップと、
前記入力されたオーディオ信号からオブジェクトオーディオ信号を抽出し、当該抽出されたオブジェクトオーディオ信号を空間上に配置して各オブジェクトの属性を編集し、１つ以上のオーディオシーン情報を生成するオーディオシーン情報生成ステップと、
前記オーディオ信号及びオブジェクト毎のオーディオ信号に関する前記オーディオシーン情報を符号化（多重化）するステップと
を含むことを特徴とする、プリセットオーディオシーンを用いたオブジェクトベースのオーディオサービス提供方法。
【請求項１３】
前記符号化（多重化）されたオブジェクトベースのオーディオコンテンツを処理する処理ステップをさらに含むことを特徴とする、請求項１２に記載のプリセットオーディオシーンを用いたオブジェクトベースのオーディオサービス提供方法。
【請求項１４】
前記処理ステップが、
前記符号化（多重化）されたオブジェクトベースのオーディオコンテンツを、デジタル放送網を介して伝送することを特徴とする、請求項１３に記載のプリセットオーディオシーンを用いたオブジェクトベースのオーディオサービス提供方法。
【請求項１５】
前記オブジェクトの属性が、
オーディオオブジェクトの位置、方向、大きさ及び音場環境のうちの少なくとも１つを含むことを特徴とする、請求項１２に記載のプリセットオーディオシーンを用いたオブジェクトベースのオーディオサービス提供方法。
【請求項１６】
前記オーディオシーン情報生成ステップでは、
ユーザ（編集者）の制御によって設定された「オブジェクト毎のオーディオ信号に関するオーディオシーン情報」に基づき、各オブジェクトの割合を調節してオーディオシーン情報を生成することを特徴とする、請求項１２に記載のプリセットオーディオシーンを用いたオブジェクトベースのオーディオサービス提供方法。
【請求項１７】
オーディオサービス再生方法において、
オブジェクトベースのオーディオコンテンツを復号化（逆多重化）するステップと、
前記復号化（逆多重化）されたオブジェクトベースのオーディオコンテンツにおけるオーディオシーン情報のうち、ユーザ（視聴者）の選択に応じたオーディオシーン情報を構成するオーディオシーン情報構成ステップと、
前記構成されたオーディオシーン情報に基づき、前記復号化されたオブジェクトベースのオーディオコンテンツにおけるオーディオ信号のオブジェクト毎の属性を制御するオーディオ信号合成ステップと、
オブジェクト毎の位置、大きさ及び方向属性のうちのいずれか１つが制御されたオーディオ信号を再生するステップと
を含むことを特徴とする、プリセットオーディオシーンを用いたオブジェクトベースのオーディオサービス再生方法。
【請求項１８】
前記オーディオシーン構成ステップでは、
ユーザ（視聴者）が設定したオブジェクト毎の属性に応じてオーディオシーン情報を構成する機能をさらに備えることを特徴とする、請求項１７に記載のプリセットオーディオシーンを用いたオブジェクトベースのオーディオサービス再生方法。
【請求項１９】
前記オブジェクト毎の属性が、
オーディオオブジェクトの位置、方向、大きさ及び音場環境のうちの少なくとも１つを含むことを特徴とする、請求項１７に記載のプリセットオーディオシーンを用いたオブジェクトベースのオーディオサービス再生方法。
【請求項２０】
前記オーディオシーン情報に基づき、初期反射音の大きさ及び遅延時間を制御して空間の残響時間を変更することにより、オーディオ空間の特性を制御することができることを特徴とする、請求項１９に記載のプリセットオーディオシーンを用いたオブジェクトベースのオーディオサービス再生方法。